(57)【要約】【課題】本体の下部前面に配置されるメダル受け皿を備える遊技機であって、メダルをメダル受け皿から掻き寄せることなく、収容箱に移し替え可能な遊技機を提供する。【解決手段】遊技機１は、本体２の下部前面に開口する払出口３から払い出されるメダルを受け入れて貯え可能な箱状のメダル受け皿４と、メダル受け皿４に着脱自在に載置可能な箱状の移載容器５を備える。移載容器５は、払出口３から払い出されるメダルを受け入れて貯えることができる。メダル受け皿４を移載容器５が載置可能な二重構造とすることで、メダルをメダル受け皿４から掻き寄せて収容箱９に移し替える作業を省略できる。【選択図】図３
2008237297.tif 000002
【特許請求の範囲】
【請求項１】
本体の下部前面に開口する払出口から払い出されるメダルを受け入れて貯え可能な箱状のメダル受け皿を備える遊技機であって、
前記メダル受け皿に着脱自在に載置可能な箱状の移載容器を備え、
前記移載容器は、前記払出口から払い出されるメダルを受け入れて貯えることを特徴とする遊技機。
【請求項２】
前記移載容器は、前記払出口から払い出されるメダルを受け入れる開口と、この開口の両翼に設けられて把持可能な一対の取っ手と、を有することを特徴とする請求項１記載の遊技機。
【請求項３】
前記メダル受け皿は、前記本体に対して昇降可能に連結し、
当該メダル受け皿は、前記移載容器が載置されてメダルを受け入れる上昇位置と前記移載容器が離脱容易な下降位置とにそれぞれ停止可能なことを特徴とする請求項１又は２記載の遊技機。
【請求項４】
前記メダル受け皿は、前記本体に対して当接又は離反可能に連結し、
当該メダル受け皿は、前記移載容器が載置されてメダルを受け入れる係止位置と前記移載容器が離脱容易な離反位置とにそれぞれ停止可能なことを特徴とする請求項１又は２記載の遊技機。
【請求項５】
前記メダル受け皿は、前記払出口と対向する前壁と、この前壁と対向する後壁と、これら前壁及び後壁の両翼に略直交する一対の側壁と、前記前壁、前記後壁、及び前記一対の側壁で囲われる底壁と、を備え、
前記後壁は、所定距離、離間して前記本体に向かって突出する一対のピンを有し、
前記本体は、前記一対のピンに係合して下端から上端に向かって延び更に上端から下端に向かって僅かに折り返す折返し端を形成する一対のＪ字状の案内溝を有し、
前記一対の案内溝の前記折返し端に前記一対のピンが停止しているときは、前記移載容器が載置されてメダルを受け入れる前記メダル受け皿の上昇位置に規定され、前記一対の案内溝の前記下端に前記一対のピンが停止しているときは、前記移載容器が離脱容易な前記メダル受け皿の下降位置に規定されることを特徴とする請求項３記載の遊技機。
【請求項６】
前記メダル受け皿は、前記払出口と対向する前壁と、この前壁と対向する後壁と、これら前壁及び後壁の両翼に略直交する一対の側壁と、前記前壁、前記後壁、及び前記一対の側壁で囲われる底壁と、を備え、
前記本体は、所定距離、離間して前記後壁に向かって突出する一対の案内棒を有し、
前記一対の側壁は、前記一対の案内棒がスライドする一対の嵌合穴と、この嵌合穴から突出して前記案内棒を付勢する球体と、を有し、
前記案内棒は、基端の近傍に設けられて前記球体と嵌合する第１環状溝と、先端の近傍に設けられて前記球体と嵌合する第２環状溝と、を有し、
前記球体が前記第１環状溝と嵌合しているときは前記移載容器が載置されてメダルを受け入れる前記メダル受け皿の当接位置に規定され、前記球体が前記第２環状溝と嵌合しているときは、前記移載容器が離脱容易な前記メダル受け皿の離反位置に規定されることを特徴とする請求項４記載の遊技機。
【発明の詳細な説明】
【技術分野】
【０００１】
本発明は、スロットマシンなどの遊技機に関する。特に、遊技機の下方に配置され、払い出されるメダルを受け入れるメダル受け皿の構造に関する。
【背景技術】
【０００２】
一般に、スロットマシンは、本体の下部前面にメダル受け皿を配置している。メダル受け皿は、メダルの払出口から払い出されるメダルを受け入れて一定量、貯える容量を有している。そして、遊技者は、メダルがメダル受け皿から溢れ出ない内に、メダルを掻き寄せて別の収容箱に移し替えている。この場合、一方の手で収容箱を把持しながら、他方の手でメダル受け皿内のメダルをメダル受け皿の前壁を越えて収容箱に掻き出して移し替えている。
【０００３】
このようなメダルの移し替え作業では、メダルがメダル受け皿の前壁を越えて、収容箱に収容されることなく、床に散乱してしまうことが多々あった。一般に、メダル受け皿の前壁の全長は収容箱の横幅より広く、メダル受け皿に分散するメダルを収容箱に収容することは容易ではなかった。このようなメダルの移し替え作業に対して、メダルをメダル受け皿から収容箱に移し替え容易な遊技機が発明されている（例えば、特許文献１参照）。
【０００４】
特許文献１による遊技機は、図柄が描かれた回転可能な複数の回胴リールと、回胴リールの回転によって図柄が揃ったとき本体から排出されたメダルを受け入れるメダル受け皿とを備えている。メダル受け皿は、底壁、両側壁及び前壁を備えている。前壁には、メダルが排出される排出部が形成され、この排出部を昇降可能に開閉する開閉板が設けられている。又、メダル受け皿は、開閉板を上方に付勢する板ばねを備え、収容箱が掛止される一対の突片を開閉板に設けている。そして、開閉板は、一対の突片に収容箱が掛止された状態で板ばねに抗して下降し排出部を開口できる。
【０００５】
特許文献１による遊技機は、メダル受け皿の前壁の排出部からメダルをメダル収容箱に掻き出すことができるので、メダルの移し替えが容易になって、速やかにメダルを移し替えることができる、としている。
【特許文献１】特開２００５−２１１１５６号公報
【発明の開示】
【発明が解決しようとする課題】
【０００６】
特許文献１による遊技機に用いられるメダル受け皿は、一対の突片に収容箱を掛止できるので、遊技者がメダル収容箱を不用意に床に落とすことを防止できる、という利点がある。しかし、特許文献１による遊技機は、収容箱がメダル受け皿に掛止される必要があるため、収容箱の形状が特定されるという問題がある。特許文献１による遊技機を新たに導入した場合は、それまでの収容箱を全て交換するという事態も想定される。メダル受け皿の構造は、収容箱の形状が特定されないことが好ましい。
【０００７】
又、特許文献１によるメダル受け皿は、メダルをメダル受け皿から収容箱に移し替え容易である。しかし、メダルをメダル受け皿から掻き寄せて収容箱に移し替える作業自体が省略された訳ではない。メダルをメダル受け皿から掻き寄せることなく、収容箱に移し替えることができれば、便利である。このように、メダル受け皿に払い出されたメダルを収容箱に移し替える工程を簡素化できる遊技機が望まれる。そして、以上のことが本発明の課題といってよい。
【０００８】
本発明は、このような問題に鑑みてなされたものであり、本体の下部前面に配置されるメダル受け皿を備える遊技機であって、メダルをメダル受け皿から掻き寄せることなく、収容箱に移し替え可能な遊技機を提供することを目的とする。
【課題を解決するための手段】
【０００９】
本発明者らは、上記目的を達成するため、収容箱にメダルを移し替える移載容器をメダル受け皿に着脱自在に載置可能に構成することにより、メダルをメダル受け皿から掻き寄せることなく、収容箱に移し替え可能なことを見出し、これに基づいて、以下のような新たなメダル受け皿を備える遊技機を発明するに至った。
【００１０】
（１）  本体の下部前面に開口する払出口から払い出されるメダルを受け入れて貯え可能な箱状のメダル受け皿を備える遊技機であって、前記メダル受け皿に着脱自在に載置可能な箱状の移載容器を備え、前記移載容器は、前記払出口から払い出されるメダルを受け入れて貯えることを特徴とする遊技機。
【００１１】
（１）の発明による遊技機は、箱状のメダル受け皿を備えている。メダル受け皿は、本体の下部前面に開口する払出口から払い出されるメダルを受け入れて、貯えることができる。又、（１）の発明による遊技機は、箱状の移載容器を備えている。移載容器は、メダル受け皿に着脱自在に載置できる。そして、移載容器は、払出口から払い出されるメダルを受け入れて貯える。
【００１２】
一般に、スロットマシンなどの遊技機は、前面扉を開閉する筐体を備えている。そして、前面扉と筐体とで本体が構成されている。そして、払出口は、本体の下部前面に開口してよく、メダルが払い出される。より実態的には、払出口は、前面扉の下部前面に矩形に開口してよく、筐体の内部に備わるホッパーからメダルが供給されて、メダルが払出口から払い出される。払出口には、メダル投入口に投入されたメダルが払出口から直接、払いだされることも有り得る。ここで、メダルは、コイン、又はトークンとも称される有価価値であってよく、円形の金属板で形成されている。
【００１３】
メダル受け皿は、前面扉に備えられてよく、筐体に備えられてもよい。メダル受け皿は、本体に固定される形態を含んでよく、後述するように、本体に対して昇降可能に連結する形態を含んでよく、又、後述するように、本体に対して当接又は離反可能に連結する形態を含むことができる。
【００１４】
メダル受け皿は、軽金属などの金属で成形してよく、この金属にメッキ膜や樹脂膜などの皮膜を形成してもよい。メダル受け皿は、合成樹脂で成形してもよい。移載容器は、合成樹脂で成形されることが好ましく、軽金属などの金属で成形してもよい。
【００１５】
（１）の発明による遊技機は、メダル受け皿に着脱自在に載置可能な箱状の移載容器を備えており、移載容器は、払出口から払い出されるメダルを受け入れて、貯えることできるので、メダルをメダル受け皿から掻き寄せることなく、収容箱に移し替えることができる。
【００１６】
（１）の発明による遊技機は、メダル受け皿を移載容器が載置可能な二重構造とすることにより、メダルをメダル受け皿から掻き寄せて収容箱に移し替える作業を省略できるという効果がある。
【００１７】
（２）  前記移載容器は、前記払出口から払い出されるメダルを受け入れる開口と、この開口の両翼に設けられて把持可能な一対の取っ手と、を有することを特徴とする（１）記載の遊技機。
【００１８】
（２）の発明による遊技機は、移載容器が、把持可能な一対の取っ手を有しているので、メダル受け皿への着脱が容易であり、メダルを移載容器から収容箱に移し替えることも容易である。
【００１９】
（３）  前記メダル受け皿は、前記本体に対して昇降可能に連結し、当該メダル受け皿は、前記移載容器が載置されてメダルを受け入れる上昇位置と前記移載容器が着脱容易な下降位置とにそれぞれ停止可能なことを特徴とする（１）又は（２）記載の遊技機。
【００２０】
一般に、スロットマシンなどの遊技機は、腰部パネルと呼ばれる化粧パネルが前面扉の下部に設けられている。この腰部パネルは、前方に突出しており、メダル受け皿に対向している。したがって、移載容器をメダル受け皿に着脱させるのは、比較的容易ではない。
【００２１】
（３）の発明による遊技機は、メダル受け皿が本体に対して昇降可能に連結し、移載容器がメダルを受け入れる上昇位置と、移載容器が着脱容易な下降位置と、にそれぞれ停止可能となるように構成した。したがって、メダル受け皿が下降位置にあるときは、腰部パネルから所定距離、離反するので、移載容器の着脱が容易となる。
【００２２】
（４）  前記メダル受け皿は、前記本体に対して係止又は離反可能に連結し、当該メダル受け皿は、前記移載容器が載置されてメダルを受け入れる係止位置と前記移載容器が着脱容易な離反位置とにそれぞれ停止可能なことを特徴とする（１）又は（２）記載の遊技機。
【００２３】
（４）の発明による遊技機は、メダル受け皿が本体に対して係止又は離反可能に連結し、移載容器がメダルを受け入れる係止位置と、移載容器が着脱容易な離反位置と、にそれぞれ停止可能となるように構成した。したがって、メダル受け皿が離反位置にあるときは、腰部パネルから所定距離、離反するので、移載容器の着脱が容易となる。
【００２４】
（５）  前記メダル受け皿は、前記払出口と対向する前壁と、この前壁と対向する後壁と、これら前壁及び後壁の両翼に略直交する一対の側壁と、前記前壁、前記後壁、及び前記一対の側壁で囲われる底壁と、を備え、前記後壁は、所定距離、離間して前記本体に向かって突出する一対のピンを有し、前記本体は、前記一対のピンに係合して下端から上端に向かって延び更に上端から下端に向かって僅かに折り返す折返し端を形成する一対のＪ字状の案内溝を有し、前記一対の案内溝の前記折返し端に前記一対のピンが停止しているときは、前記移載容器が載置されてメダルを受け入れる前記メダル受け皿の上昇位置に規定され、前記一対の案内溝の前記下端に前記一対のピンが停止しているときは、前記移載容器が着脱容易な前記メダル受け皿の下降位置に規定されることを特徴とする（３）記載の遊技機。
【００２５】
（５）の発明による遊技機は、メダル受け皿が前壁、後壁、一対の側壁、及び底壁を備えている。前壁は払出口と対向している。後壁は前壁と対向している。一対の側壁は、前壁及び後壁の両翼に略直交している。底壁は、前壁、後壁、及び一対の側壁で囲われている。
【００２６】
後壁は、所定距離、離間して本体に向かって突出する一対のピンを有している。本体は、一対のＪ字状の案内溝を有している。一対の案内溝は、一対のピンにそれぞれ係合している。一対の案内溝は、下端から上端に向かって延び、更に上端から下端に向かって僅かに折り返す折返し端を形成している。
【００２７】
そして、一対の案内溝の折返し端に一対のピンが停止しているときは、移載容器が載置されてメダルを受け入れるメダル受け皿の上昇位置に規定される。一方、一対の案内溝の下端に一対のピンが停止しているときは、移載容器が着脱容易なメダル受け皿の下降位置に規定される。
【００２８】
（５）の発明による遊技機は、一対の案内溝を有する本体からメダル受け皿が脱落しないように、一対のピンの先端に、案内溝より大きい外径を有するストッパー部材を備えてよく、一対の案内溝の折返し端に一対のピンが停止しているときは、メダル受け皿は腰部パネルに対向している。メダル受け皿を持ち上げて水平方向に移動すると、メダル受け皿の自重で一対の案内溝の下端に一対のピンが移動して停止する。一対の案内溝の下端に一対のピンが停止しているときは、メダル受け皿は、腰部パネルから十分に離間しており、移載容器の着脱が容易である。（５）の発明による遊技機は、このような簡易な操作でメダル受け皿を昇降できる。
【００２９】
（６）  前記メダル受け皿は、前記払出口と対向する前壁と、この前壁と対向する後壁と、これら前壁及び後壁の両翼に略直交する一対の側壁と、前記前壁、前記後壁、及び前記一対の側壁で囲われる底壁と、を備え、前記本体は、所定距離、離間して前記後壁に向かって突出する一対の案内棒を有し、前記一対の側壁は、前記一対の案内棒がスライドする一対の嵌合穴と、この嵌合穴から突出して前記案内棒を付勢する球体と、を有し、前記案内棒は、基端の近傍に設けられて前記球体と嵌合する第１環状溝と、先端の近傍に設けられて前記球体と嵌合する第２環状溝と、を有し、前記球体が前記第１環状溝と嵌合しているときは前記移載容器が載置されてメダルを受け入れる前記メダル受け皿の係止位置に規定され、前記球体が前記第２環状溝と嵌合しているときは、前記移載容器が着脱容易な前記メダル受け皿の離反位置に規定されることを特徴とする（４）記載の遊技機。
【００３０】
（６）の発明による遊技機は、メダル受け皿が前壁、後壁、一対の側壁、及び底壁を備えている。前壁は払出口と対向している。後壁は前壁と対向している。一対の側壁は、前壁及び後壁の両翼に略直交している。底壁は、前壁、後壁、及び一対の側壁で囲われている。
【００３１】
本体は、所定距離、離間して後壁に向かって突出する一対の案内棒を有している。一対の側壁は、一対の嵌合穴と球体を有している。一対の嵌合穴には、各案内棒がスライドする。球体は、嵌合穴から突出して案内棒を付勢している。そして、案内棒は、第１環状溝と第２環状溝を有している。第１環状溝は、案内棒の基端の近傍に設けられて、球体と嵌合する。第２環状溝は、案内棒の先端の近傍に設けられて、球体と嵌合する。
【００３２】
そして、球体が第１環状溝と嵌合しているときは、移載容器が載置されてメダルを受け入れるメダル受け皿の係止位置に規定される。一方、球体が第２環状溝と嵌合しているときは、移載容器が着脱容易なメダル受け皿の離反位置に規定される。
【００３３】
（６）の発明による遊技機は、球体が第１環状溝と嵌合しているときは、メダル受け皿の後壁が本体に当接するように構成されてよく、メダル受け皿が本体に係止される。球体が第１環状溝と嵌合しているときは、メダル受け皿は腰部パネルに対向している。
【００３４】
第１環状溝が球体を反付勢方向に移動させる強い力でメダル受け皿を前方に移動すると、球体は第２環状溝に嵌合する。球体が第２環状溝と嵌合しているときは、メダル受け皿は、腰部パネルから十分に離間しており、移載容器の着脱が容易である。各案内棒の先端に、案内棒より大きい外径を有するストッパー部材を備えてよく、本体からメダル受け皿の脱落が防止される。（６）の発明による遊技機は、このような簡易な操作でメダル受け皿をスライドできる。
【発明の効果】
【００３５】
本発明による遊技機は、メダル受け皿に着脱自在に載置可能な箱状の移載容器を備えており、移載容器は、払出口から払い出されるメダルを受け入れて、貯えることできるので、メダルをメダル受け皿から掻き寄せることなく、収容箱に移し替えることができる。本発明による遊技機は、メダル受け皿を移載容器が載置可能な二重構造とすることにより、メダルをメダル受け皿から掻き寄せて収容箱に移し替える作業を省略できるという効果がある。
【発明を実施するための最良の形態】
【００３６】
以下、図面を参照して本発明を実施するための最良の形態を説明する。
【００３７】
図１は、本発明による遊技機の一実施形態を示す正面図である。図２は、前記実施形態による遊技機の筐体の内部構造を示す斜視外観図であり、前面扉を開けた状態図である。図３は、前記実施形態による遊技機に備わる第１実施形態のメダル受け皿の斜視外観図である。
【００３８】
図４は、前記実施形態による遊技機に備わる第２実施形態のメダル受け皿の斜視分解組立図である。図５は、前記実施形態による遊技機に備わる第２実施形態のメダル受け皿の縦断面図である。図６は、前記実施形態による遊技機に備わる第２実施形態のメダル受け皿の縦断面図であり、図５の状態変化図である。
【００３９】
図７は、前記実施形態による遊技機に備わる第３実施形態のメダル受け皿の斜視分解組立図である。図８は、前記実施形態による遊技機に備わる第３実施形態のメダル受け皿の縦断面図である。図９は、前記実施形態による遊技機に備わる第３実施形態のメダル受け皿の縦断面図であり、図８の状態変化図である。
【００４０】
最初に、本発明による遊技機の構成を説明する。図１及び図２において、遊技機１は、例えばスロットマシンであり、前面扉１１を開閉する筐体１２を備えている。前面扉１１と筐体１２とで本体２が構成されている。図２において、筐体１２の内部には、リールユニット１３が配置されている。又、筐体１２の内部は、棚１３ａで上下に仕切られており、リールユニット１３は棚１３ａに載置されている。
【００４１】
図２において、棚１３ａの下方には、投入されたメダルを収納、又はメダルをメダル受け皿４に払い出すホッパー１５や、還元率設定スイッチ１６ａを含む電源ボックス１６が配置されている。棚１３ａの上方には、遊技機１を制御するメイン基板（プリント基板）及びサブ基板（プリント基板）を含む制御盤１７などが配置されている。
【００４２】
図１又は図２において、前面扉１１に形成される正面パネル２２には、矩形状の表示窓１４が設けられている。表示窓１４は、個別の表示窓１４Ｌ・１４Ｃ・１４Ｒに区画されている。リールユニット１３には、各々の外周面に複数種類の図柄が描かれた３個のリール２６Ｌ・２６Ｃ・２６Ｒが回転自在に設けられている。リール２６Ｌ・２６Ｃ・２６Ｒの各々は、表示窓１４を介して観察可能に配置されている。
【００４３】
図１において、表示窓１４の下方右側には、略水平の台座部２８が設けられており、その上面右側には、遊技者が遊技媒体であるメダルを入れるための投入口２５が設けられている。ここで、メダルは、コイン、又はトークンとも称される有価価値である。
【００４４】
図１において、台座部２８の上面左側には、押しボタン操作による三つのＢＥＴスイッチ２９・３０・３１が配置されている。ＢＥＴスイッチ２９は、１回の遊技に１枚のメダルを賭けられる。ＢＥＴスイッチ３０は、１回の遊技に２枚のメダルを賭けられる。ＢＥＴスイッチ３１は、１回の遊技に３枚のメダルを賭けられる。台座部２８の前面の左側には、スタートレバー３２が傾動可能に設けられている。スタートレバー３２を遊技者が傾動操作することにより、三つのリール２６Ｌ・２６Ｃ・２６Ｒの回転が一斉に開始される。３つのリール２６Ｌ・２６Ｃ・２６Ｒが回転したときには、リール２６Ｌ・２６Ｃ・２６Ｒの各々の外周面に描かれている複数の図柄が、表示窓１４において変動表示される。
【００４５】
図１において、台座部２８の前面の中央には、３個のリール停止ボタン３４Ｌ・３４Ｃ・３４Ｒが設けられている。リール停止ボタン３４Ｌはリール２６Ｌに対応し、リール停止ボタン３４Ｃはリール２６Ｃに対応し、リール停止ボタン３４Ｒはリール２６Ｒに対応している。リール停止ボタン３４Ｌを遊技者が押動操作したときには、リール２６Ｌが停止し、リール停止ボタン３４Ｃを遊技者が押動操作したときには、リール２６Ｃが停止し、リール停止ボタン３４Ｒを遊技者が押動操作したときには、リール２６Ｒが停止する。
【００４６】
図１において、スタートレバー３２の左側には、払出しボタン３６が設けられている。遊技者が払出しボタン３６を押動操作したときには、投入されているメダルが正面下部の払出口３から払い出され、払い出されたメダルはメダル受け皿４に溜められる。
【００４７】
図１において、表示窓１４には、横に３本（中央及び上下）及び斜めに２本の入賞ラインが設けられている。ゲーム開始に先立って、遊技者が投入口２５から１枚のメダルを投入したときは中央の入賞ラインだけが有効化され、２枚のメダルを投入したとき、これに上下の入賞ラインが加わり、３枚のメダルを投入したとき、全ての入賞ラインが有効化される。このような入賞ラインの有効化は、各入賞ラインの両端に配置された有効化ライン表示ランプ（図示せず）が点灯することにより、遊技者に表示される。
【００４８】
図１において、前面扉１１の下部には、腰部パネルと呼ばれる化粧パネル２７が設けられている。化粧パネル２７は、リール停止ボタン３４Ｌ・３４Ｃ・３４Ｒの下側に位置するように設けられており、絵柄模様、遊技機の名称などが表示されている。図３において、化粧パネル２７は、前方に突出しており、メダル受け皿４は、化粧パネル２７の下方に位置している。
【００４９】
次に、第１実施形態によるメダル受け皿４の構成を説明する。図３において、メダル受け皿４は、例えば、表面がメッキや塗装された軽金属によって形成されている。メダル受け皿４は、前壁４ａ、後壁４ｂ、一対の側壁４ｃ・４ｄ、及び底壁４ｅを備えている。前壁４ａは、払出口３と対向している。後壁４ｂは前壁４ａと対向している。一対の側壁４ｃ・４ｄは、前壁４ａ及び後壁４ｂの両翼に略直交している。底壁４ｅは、前壁４ａ、後壁４ｂ及び一対の側壁４ｃ・４ｄで囲われている（図４参照）。
【００５０】
図３において、メダル受け皿４は、化粧パネル２７の下方に位置するように取り付け板１８を介して前面扉１１に固定されている。メダル受け皿４は、上面が開口されており、移載容器５が着脱自在に載置可能となっている。なお、メダル受け皿４の一方の側壁４ｃには、灰皿４０が設けられている。
【００５１】
図３において、移載容器５は、例えば、合成樹脂により箱状に形成されており、払出口３から払い出されるメダルを受け入れる開口５０が設けられている。又、移載容器５は、メダルを溜める凹部５１を形成している。そして、移載容器５は、開口５０の両翼に設けられて把持可能な一対の取っ手５ａ・５ｂを有している。又、開口５０の周囲には、移載容器５の強度を得るために外側に広がるフランジ５ｃが形成されている。
【００５２】
次に、本発明による遊技機の作用を説明する。本発明による遊技機１は、メダル受け皿４に着脱自在に載置可能な箱状の移載容器５を備えており、移載容器５は、払出口３から払い出されるメダルを受け入れて、貯えることできるので、メダルをメダル受け皿４から掻き寄せることなく、収容箱９に移し替えることができる（図３参照）。
【００５３】
又、本発明による遊技機１は、移載容器５が、把持可能な一対の取っ手５ａ・５ｂを有しているので、メダル受け皿４への着脱が容易であり、メダルを移載容器５から収容箱９に移し替えることも容易である（図３参照）。
【００５４】
以上のとおり、メダル受け皿４が本体２に固定される第１実施形態を説明したが、後述するように、メダル受け皿６が本体２に対して昇降可能に連結する第２実施形態を含んでよく、又、後述するように、メダル受け皿７が本体２に対して当接又は離反可能に連結する第３形態を含むこともできる。
【００５５】
次に、第２実施形態によるメダル受け皿６の構成を説明する。なお、第２実施形態を説明する図４から図６において、第１実施形態と同じ構成品は同符号を付しており、説明を割愛することがある。
【００５６】
図４において、メダル受け皿６は、前壁４ａ、後壁４ｂ、一対の側壁４ｃ・４ｄ、及び底壁４ｅを備えている。前壁４ａは払出口３と対向している。後壁４ｂは前壁４ａと対向している。一対の側壁４ｃ・４ｄは、前壁４ａ及び後壁４ｂの両翼に略直交している。底壁４ｅは、前壁４ａ、後壁４ｂ、及び一対の側壁４ｃ・４ｄで囲われている。
【００５７】
図４において、メダル受け皿６の後壁４ｂには、所定距離、離間して本体２に向かって突出する一対のピン６１・６２を有している。化粧パネル２７の下方には、取り付け板１９が前面扉１１に固定されている。取り付け板１９は、一対のＪ字状の案内溝１９１・１９２を有している。
【００５８】
図４から図６において、一対の案内溝１９１・１９２は、一対のピン６１・６２にそれぞれ係合している。一対の案内溝１９１・１９２は、下端１９ａから上端１９ｂに向かって延び、更に上端１９ｂから下端１９ａに向かって僅かに折り返す折返し端１９ｃを形成している。
【００５９】
図５に示されるように、一対の案内溝１９１・１９２の折返し端１９ｃ・１９ｃに一対のピン６１・６２が停止しているときは、移載容器５が載置されてメダルを受け入れるメダル受け皿６の上昇位置に規定されている（図６参照）。一方、図６に示されるように、一対の案内溝１９１・１９２の下端１９ａ・１９ａに一対のピン６１・６２が停止しているときは、移載容器５が着脱容易なメダル受け皿６の下降位置に規定されている。
【００６０】
図４から図６において、一対のピン６１・６２の基端には、雄ねじ６１ａ・６２ａが形成され、メダル受け皿６の後壁４ｂに取り付けられている。一対のピン６１・６２の先端に、一対の案内溝１９１・１９２より大きい外径を有するストッパー部材６１ｂ・６２ｂを備えており、一対の案内溝１９１・１９２を有する取り付け板１９からメダル受け皿６が脱落しないようになっている。
【００６１】
次に、第２実施形態によるメダル受け皿６の作用を説明する。図５に示されるように、一対の案内溝１９１・１９２の折返し端１９ｃ・１９ｃに一対のピン６１・６２が停止しているときは、メダル受け皿６は化粧パネル２７に対向している。
【００６２】
図５の２点鎖線（想像線）で示される位置までメダル受け皿６を持ち上げ、更に水平方向にメダル受け皿６を移動すると、メダル受け皿６の自重で一対の案内溝１９１・１９２の下端１９ａ・１９ａに一対のピン６１・６２が移動して停止する（図６参照）。
【００６３】
図６に示されるように、一対の案内溝１９１・１９２の下端１９ａ・１９ａに一対のピン６１・６２が停止しているときは、メダル受け皿６は、化粧パネル２７から十分に離間しており、移載容器５の着脱が容易である。
【００６４】
このように、第２実施形態によるメダル受け皿６は、本体２に対して昇降可能に連結し、メダル受け皿６は、移載容器５が載置されてメダルを受け入れる上昇位置と移載容器５が着脱容易な下降位置とにそれぞれ停止可能となっており、メダル受け皿６が下降位置にあるときは、化粧パネル２７から所定距離、離反するので、移載容器５の着脱が容易となる（図６参照）。
【００６５】
次に、第３実施形態によるメダル受け皿７の構成を説明する。なお、第３実施形態を説明する図７から図９において、第１及び第２実施形態と同じ構成品は同符号を付しており、説明を割愛することがある。
【００６６】
図７において、メダル受け皿７は、前壁４ａ、後壁４ｂ、一対の側壁４ｃ・４ｄ、及び底壁４ｅを備えている。前壁４ａは払出口３と対向している。後壁４ｂは前壁４ａと対向している。一対の側壁４ｃ・４ｄは、前壁４ａ及び後壁４ｂの両翼に略直交している。底壁４ｅは、前壁４ａ、後壁４ｂ、及び一対の側壁４ｃ・４ｄで囲われている。
【００６７】
図７において、化粧パネル２７の下方には、取り付け板２０が前面扉１１に固定されている。取り付け板２０は、所定距離、離間して後壁４ｂに向かって突出する一対の案内棒８１・８２を有している。一対の側壁４ｃ・４ｄは、一対の嵌合穴７１・７２と球体７ａ・７ａを有している。一対の嵌合穴７１・７２には、各案内棒８１・８２がスライドする。
【００６８】
図７から図９において、各球体７ａ・７ａは、各嵌合穴７１・７２から突出してそれぞれ案内棒８１・８２を付勢している。そして、各案内棒８１・８２は、第１環状溝８ａと第２環状溝８ｂを有している。第１環状溝８ａは、各案内棒８１・８２の基端の近傍に設けられて、球体７ａと嵌合する。第２環状溝８ｂは、各案内棒８１・８２の先端の近傍に設けられて、球体７ａと嵌合する。
【００６９】
図８に示されるように、球体７ａが第１環状溝８ａと嵌合しているときは、移載容器５が載置されてメダルを受け入れるメダル受け皿７の係止位置に規定される。一方、図９に示されるように、球体７ａが第２環状溝８ｂと嵌合しているときは、移載容器５が着脱容易なメダル受け皿７の離反位置に規定される。
【００７０】
図７から図９において、案内棒８１・８２の基端には、雄ねじ８ｃ・８ｃが形成され、取り付け板２０に取り付けられている。案内棒８１・８２の先端には、案内棒８１・８２より大きい外径を有するリング状のストッパー部材８ｄ・８ｄを備えている。ストッパー部材８ｄ・８ｄが各ビス８ｅ・８ｅで固定され、本体２からメダル受け皿７の脱落が防止される。
【００７１】
図８又は図９において、メダル受け皿７の底壁４ｅには、各嵌合穴７１・７２に貫通する貫通穴が設けられており、この貫通穴に球体７ａを先頭にして圧縮コイルばね７ｂが収容されている。又、この貫通穴は、ねじ体７ｃで止栓されている。
【００７２】
次に、第３実施形態によるメダル受け皿７の作用を説明する。図８に示されるように、球体７ａが第１環状溝８ａと嵌合しているときは、メダル受け皿７の後壁４ｂが本体２に当接するように構成されており、メダル受け皿７が本体２に係止される。ここで、球体７ａが第１環状溝８ａと嵌合しているときは、メダル受け皿７は化粧パネル２７に対向しているので、移載容器５の着脱は容易ではない。
【００７３】
第１環状溝８ａが球体７ａを反付勢方向に移動させる強い力でメダル受け皿７を前方に移動すると、球体７ａは第２環状溝８ｂに嵌合する（図９参照）。図９に示されるように、球体７ａが第２環状溝８ｂと嵌合しているときは、メダル受け皿７は、化粧パネル２７から十分に離間しており、移載容器５の着脱が容易である。
【００７４】
このように、第３実施形態によるメダル受け皿７は、本体２に対して係止又は離反可能に連結し、メダル受け皿７は、移載容器５が載置されてメダルを受け入れる係止位置（図８参照）と、移載容器５が着脱容易な離反位置（図９参照）とにそれぞれ停止可能であり、移載容器５の着脱が容易となる。
【００７５】
本発明は、本体の下部前面に配置されるメダル受け皿を備える遊技機であって、収容箱にメダルを移し替える移載容器をメダル受け皿に着脱自在に載置可能に構成することにより、メダルをメダル受け皿から掻き寄せることなく、収容箱に移し替え可能な遊技機を提供できる。
【図面の簡単な説明】
【００７６】
【図１】本発明による遊技機の一実施形態を示す正面図である。
【図２】前記実施形態による遊技機の筐体の内部構造を示す斜視外観図であり、前面扉を開けた状態図である。
【図３】前記実施形態による遊技機に備わる第１実施形態のメダル受け皿の斜視外観図である。
【図４】前記実施形態による遊技機に備わる第２実施形態のメダル受け皿の斜視分解組立図である。
【図５】前記実施形態による遊技機に備わる第２実施形態のメダル受け皿の縦断面図である。
【図６】前記実施形態による遊技機に備わる第２実施形態のメダル受け皿の縦断面図であり、図５の状態変化図である。
【図７】前記実施形態による遊技機に備わる第３実施形態のメダル受け皿の斜視分解組立図である。
【図８】前記実施形態による遊技機に備わる第３実施形態のメダル受け皿の縦断面図である。
【図９】前記実施形態による遊技機に備わる第３実施形態のメダル受け皿の縦断面図であり、図８の状態変化図である。
【符号の説明】
【００７７】
１  遊技機
２  本体
３  払出口
４・６・７  メダル受け皿
５  移載容器
９  収容箱
【図１】
2008237297.tif 000003
【図２】
2008237297.tif 000004
【図３】
2008237297.tif 000005
【図４】
2008237297.tif 000006
【図５】
2008237297.tif 000007
【図６】
2008237297.tif 000008
【図７】
2008237297.tif 000009
【図８】
2008237297.tif 000010
【図９】
2008237297.tif 000011